(57)【特許請求の範囲】
【請求項１】
バリア性フィルムの一方の表面に粘着性コート層を、他方の表面に非粘着性コート層を配した積層構造体を１単位とし、一方の積層構造体の該非粘着性コート層と他方の積層構造体の粘着性コート層とが剥離可能に積層された該積層構造体を２単位以上重ね合わせたマルチ積層体を備え、
該マルチ積層体のうち、使用時に外気に曝される側の層を最上層と定義したとき、それぞれの該１単位の該最上層側に位置する側の該粘着性コート層には、揮発性薬剤を含有し、
該マルチ積層体の最上位の積層構造体上には、バリア性トップフィルムが剥離可能に設けられ、
それぞれの該積層構造体は、該バリア性フィルムの一方側の面に該粘着性コート層が設けられ、該バリア性フィルムの他方側の面に該非粘着性コート層が設けられ、
該揮発性薬剤は該粘着性コート層に混入され、
該バリア性トップフィルムは該粘着コート層上に位置する非粘着性塗布層と、該非粘着性塗布層上に積層されたバリア性構造物とを有し、
該バリア性構造物は、基材と該基材の一面側に形成されたバリア層とを有し、該バリア層は、金属蒸着又は金属酸化物若しくは金属化合物からなる無機物の蒸着により形成されてなり、該基材と該非粘着性塗布層との間にあり該非粘着性塗布層によって覆われていることを特徴とする揮発性薬剤徐放積層体。
【請求項２】
バリア性フィルムの一方の表面に粘着性コート層を、他方の表面に非粘着性コート層を配した積層構造体を１単位とし、一方の積層構造体の該非粘着性コート層と他方の積層構造体の粘着性コート層とが剥離可能に積層された該積層構造体を２単位以上重ね合わせたマルチ積層体を備え、
該マルチ積層体のうち、使用時に外気に曝される側の層を最上層と定義したとき、それぞれの該１単位の該最上層側に位置する側の該非粘着性コート層には、揮発性薬剤を含有し、
該マルチ積層体の最上位の積層構造体上には、バリア性トップフィルムが剥離可能に設けられ、
それぞれの該積層構造体は、該バリア性フィルムの一方側の面に該非粘着性コート層が設けられ、該バリア性フィルムの他方側の面に該粘着性コート層が設けられ、
該揮発性薬剤は該非粘着性コート層に混入され、
該バリア性トップフィルムは該非粘着コート層上に位置する粘着性塗布層と、該粘着性塗布層上に積層されたバリア性構造物とを有し、
該バリア性構造物は、基材と該基材の一面側に形成されたバリア層とを有し、該バリア層は、金属蒸着又は金属酸化物若しくは金属化合物からなる無機物の蒸着により形成されてなり、該基材と該粘着性塗布層との間にあり該粘着性塗布層によって覆われていることを特徴とする揮発性薬剤徐放積層体。
【請求項３】
該１単位の積層構造体を長尺帯状体とし、該マルチ積層体は、該長尺帯状体をロール状に巻回したことにより、ロールの直径方向に沿って該積層構造体が複数単位の配列をなすことを特徴とする請求項１又は請求項２記載の揮発性薬剤徐放積層体。
【請求項４】
互いに面し合う一方の積層構造体の該非粘着性コート層と他方の積層構造体の粘着性コート層の間であって該粘着コート層の外縁付近の少なくとも一部には、非粘着性材料が配置されていることを特徴とする請求項１又は請求項２記載の揮発性薬剤徐放積層体。
【請求項５】
それぞれの該１単位の該最上層側に位置する側の該非粘着性コート層又は該粘着性コート層には、揮発性薬剤の濃度の変化を色の変化であらわすための指示薬が混入されていることを特徴とする請求項１又は請求項２記載の揮発性薬剤徐放積層体。
【発明の詳細な説明】
【技術分野】
【０００１】
本発明は、揮発性薬剤を徐々に気化放出させる揮発性薬剤徐放積層体に関する。
【背景技術】
【０００２】
従来の揮発性薬剤徐放積層体は、例えば特許文献１に開示されるように、薬剤を含有した樹脂フィルムの一方の面に対して最上層となる剥離可能な薬剤不透過剥離シートを積層し、他方の面に薬剤不透過層、粘着剤層、剥離シート層を順次積層している。最下層である剥離シート層を除去して積層体を所望の場所に貼り付ける。そして最上層の薬剤不透過シートを剥離することで、樹脂フイルムから薬剤が徐々に放出される。
【０００３】
しかし、かかる構成では剥離シート層を除去した後は薬剤の放散が必要以上に進行し、薬剤の効果が早期に消失するおそれがある。かかる問題を解決するために、特許文献２に記載された揮発性薬剤徐放積層体は、バリア性基材フィルム上に揮発性薬剤を含浸した粘着剤層を積層するとともに、粘着剤層の上に徐放性コントロールフィルムが積層されている。徐放性コントロールフィルムにより、薬剤を所望の濃度で放出させることができ、薬剤の過度の放出を防止することができる。
【特許文献１】実開昭６２−５０９２５号公報
【特許文献２】特開平７−２４０４８号公報
【発明の開示】
【発明が解決しようとする課題】
【０００４】
しかし、特許文献２に記載された構成によっても依然として、薬剤含有層に含まれる薬剤は時間の経過と共に次第にその濃度が低下し、それにつれて揮発量は減衰曲線的に減少することは避けられない。徐放性コントロールフィルムの役割は、単に揮発の速度を抑えているに過ぎないからである。
【０００５】
そこで、本発明は従来の揮発性薬剤徐放積層体の不都合を解消し、揮発性薬剤を高濃度で長期間にわたり揮発させることができ、持続的に揮発性薬剤の効果が発揮できる揮発性薬剤徐放積層体を提供することを目的とする。
【課題を解決するための手段】
【０００６】
上記目的を達成するため、本発明は、バリア性フィルムの一方の表面に粘着性コート層を、他方の表面に非粘着性コート層を配した積層構造体を１単位とし、一方の積層構造体の該非粘着性コート層と他方の積層構造体の粘着性コート層とが剥離可能に積層された該積層構造体を２単位以上重ね合わせたマルチ積層体を備え、該マルチ積層体のうち、使用時に外気に曝される側の層を最上層と定義したとき、それぞれの該１単位の該最上層側に位置する側の該粘着性コート層には、揮発性薬剤を含有し、該マルチ積層体の最上位の積層構造体上には、バリア性トップフィルムが剥離可能に設けられ、それぞれの該積層構造体は、該バリア性フィルムの一方側の面に該粘着性コート層が設けられ、該バリア性フィルムの他方側の面に該非粘着性コート層が設けられ、該揮発性薬剤は該粘着性コート層に混入され、該バリア性トップフィルムは該粘着コート層上に位置する非粘着性塗布層と、該非粘着性塗布層上に積層されたバリア性構造物とを有し、該バリア性構造物は、基材と該基材の一面側に形成されたバリア層とを有し、該バリア層は、金属蒸着又は金属酸化物若しくは金属化合物からなる無機物の蒸着により形成されてなり、該基材と該非粘着性塗布層との間にあり該非粘着性塗布層によって覆われている揮発性薬剤徐放積層体を提供している。
【０００７】
また、本発明は、バリア性フィルムの一方の表面に粘着性コート層を、他方の表面に非粘着性コート層を配した積層構造体を１単位とし、一方の積層構造体の該非粘着性コート層と他方の積層構造体の粘着性コート層とが剥離可能に積層された該積層構造体を２単位以上重ね合わせたマルチ積層体を備え、該マルチ積層体のうち、使用時に外気に曝される側の層を最上層と定義したとき、それぞれの該１単位の該最上層側に位置する側の該非粘着性コート層には、揮発性薬剤を含有し、該マルチ積層体の最上位の積層構造体上には、バリア性トップフィルムが剥離可能に設けられ、それぞれの該積層構造体は、該バリア性フィルムの一方側の面に該非粘着性コート層が設けられ、該バリア性フィルムの他方側の面に該粘着性コート層が設けられ、該揮発性薬剤は該非粘着性コート層に混入され、
該バリア性トップフィルムは該非粘着コート層上に位置する粘着性塗布層と、該粘着性塗布層上に積層されたバリア性構造物とを有し、該バリア性構造物は、基材と該基材の一面側に形成されたバリア層とを有し、該バリア層は、金属蒸着又は金属酸化物若しくは金属化合物からなる無機物の蒸着により形成されてなり、該基材と該粘着性塗布層との間にあり該粘着性塗布層によって覆われている揮発性薬剤徐放積層体を提供している。
【００１０】
ここで、該１単位の積層構造体を長尺帯状体とし、該マルチ積層体は、該長尺帯状体をロール状に巻回したことにより、ロールの直径方向に沿って該積層構造体が複数単位の配列をなす構成であるのが好ましい。
【００１１】
更に、互いに面し合う一方の積層構造体の該非粘着性コート層と他方の積層構造体の粘着性コート層の間であって該粘着コート層の外縁付近の少なくとも一部には、非粘着性材料が配置されているのが好ましい。
【００１２】
更に、それぞれの該１単位の該最上層側に位置する側の該非粘着性コート層又は該粘着性コート層には、揮発性薬剤の濃度の変化を色の変化であらわすための指示薬が混入されているのが好ましい。
【発明の効果】
【００１３】
請求項１、請求項２記載の揮発性薬剤徐放積層体によれば、それぞれの積層構造体のうち使用時に外気に曝される側の層に揮発性薬剤が含有され、また積層構造体は互いに剥離可能に複数単位積層されているので、最上層の積層構造体からの揮発性薬剤が所定程度揮発して減少したときは、最上層の積層構造体を剥がして新たな積層構造体を露出させ、新たな積層構造体の最上層から揮発性薬剤を揮発させることができる。すなわち積層構造体の単位数に応じて揮発性薬剤を持続的に揮散させることができ、長期に亘って徐放効果を発揮することが可能となる。
【００１４】
また、マルチ積層体の最上位の積層構造体上に、バリア性トップフィルムが剥離可能に設けられているので、使用を開始する前まで、揮発性薬剤の揮発を抑えることができる。
【００１５】
また、バリア層が最外層とはならず、基材で保護されるので、バリア層の擦過を防止できる。
【００１６】
また、請求項２記載の揮発性薬剤徐放積層体によれば、使用時において外気に曝される側の最上層は非粘着性コート層であるので、例えば揮発性薬剤が防虫剤である場合に、揮発性薬剤徐放積層体を箪笥内に配置したときに、衣類が最上層に粘着することがない。
【００１７】
請求項３記載の揮発性薬剤徐放積層体によれば、１単位の積層構造体を長尺帯状体とし、マルチ積層体は、長尺帯状体をロール状に巻回したことにより提供できるので、ロールの最外周側での徐放効果が減少したときは、ロールの巻回を解くことにより、新たな徐放面が出現できる。またロールの半径方向内方部分は半径方向外方部分で保護されるので、内放部分での徐放作用を防止できる。
【００１８】
請求項４記載の揮発性薬剤徐放積層体によれば、非粘着性材料が粘着コート層の外縁付近に設けられているので、最上位の積層構造体の剥離を容易に開始することができる。
【００１９】
請求項５記載の揮発性薬剤徐放積層体によれば、それぞれの１単位の最上層側に位置する側の非粘着性コート層又は粘着性コート層には、揮発性薬剤の濃度の変化を色の変化であらわすための指示薬が混入されているので、揮発性薬剤が揮発して濃度が低下したとき、色の変化によって容易に揮発性薬剤の濃度の低下が認識でき、最上層の積層構造体を剥がして新たな積層構造体を露出させ、新たな積層構造体の最上層から揮発性薬剤を揮発させることができる。
【発明を実施するための最良の形態】
【００２０】
本発明の第１の実施の形態による揮発性薬剤徐放積層体について図１に基づき説明する。揮発性薬剤徐放積層体１は平面視長方形であり、バリア性トップフィルム１０と、積層構造体２０−１〜２０−５を複数個例えば５個積層させたマルチ積層体２０とを備える。なお以下の説明において、図面に示されるように上下方向を積層方向として説明する。
【００２１】
バリア性トップフィルム１０は、最上層の積層構造体２０−１上に剥離可能に積層され、バリア性構造物１１と剥離層１４とを有する。バリア性構造物１１は樹脂製の基材１２とバリア層１３を有する。基材１２は、ポリエチレン、ポリプロピレン、ポリエチレンテレフタレート、ポリエチレンナフタレート、ナイロン6、ナイロン６６等のポリアミドフィルム、等が挙げられ、中でもポリエチレンテレフタレートやポリエチレンナフタレートの様なガスバリヤ性の良いフィルムが望ましい。
【００２２】
バリア層１３はアルミニウム等の金属蒸着や、セラミック蒸着や、酸化アルミニウム、酸化ケイ素、酸化マグネシウムなどの無機物（金属酸化物又は金属化合物）の蒸着により、樹脂層の表面に形成される。バリア層１３の擦過を防止するために、バリア層１３は基材１２と剥離層１４との間に位置する。バリア層１３の厚さは、５〜５００μｍ、望ましくは１０〜１００μｍである。蒸着に代えて、バリア層を成す材料の箔又は薄膜を基材に貼付けたり、バリア層を成す材料を基材にコーティングしてもよい。
【００２３】
剥離層１４は、シリンコーン系離型剤、パラフィン系コート剤等が挙げられる。機能性物質の吸収を少なくする為、剥離層１４は出来る限り薄い方が望ましく、０．０１〜１０μｍが好ましい。
【００２４】
マルチ積層体２０を構成する複数の積層構造体２０−１〜２０−５はそれぞれ、上層から順に粘着性コート層２１、バリア性フィルム２４，非粘着性コート層２７を有する。最上の積層構造体２０−１の粘着性コート層２１は、バリア性トップフィルム１０の剥離層１４により剥離可能に覆われる。また各粘着性コート層２１は、粘着剤層２２と粘着剤層２２内に混入された揮発性薬剤２３を有する。バリア性トップフィルム１０は、揮発性薬剤徐放積層体１の使用を開始する前まで、揮発性薬剤２３の揮発を抑えることができる。
【００２５】
揮発性薬剤２３を含浸させる粘着剤層２２に用いる粘着剤としては、（メタ）アクリル酸ｎ−ブチル、（メタ）アクリル酸ヘキシル、（メタ）アクリル酸２−ジエチルブチル、（メタ）アクリル酸イソオクチル、（メタ）アクリル酸２−メトキシエチル、（メタ）アクリル酸２−エチルヘキシル、（メタ）アクリル酸デシル、（メタ）アクリル酸ドデシル、（メタ）アクリル酸トリデシルの如き（メタ）アクリル酸エステルの一種または二種以上と、該エステル類と共重合可能な（メタ）アクリル酸、イタコン酸、マレイン酸、無水マレイン酸、アクリル酸ヒドロキシエチル、アクリル酸ヒドロキシプロピル、アクリルアミド、ジメチルアクリルアミド、メタクリル酸メチルアミノエチル、（メタ）アクリル酸メトキシエチルの如き官能性モノマーとの共重合物等のアクリル系粘着剤、エチルビニルエーテル、プロピルビニルエーテル、ブチルビニルエーテル、２−エチルヘキシルビニルエーテル等のビニル系粘着剤、天然ゴムや、スチレン−イソプレン−スチレンブロック共重合体ゴム、スチレン−ブタジエンゴム、ポリブテンゴム、ブチルゴム等の合成ゴムを主成分とするゴム系粘着剤が用いられる。上記アクリル系、ゴム系、ビニル系の各種粘着剤が選択使用できるが、アクルル系粘着剤から選択使用するのが好ましく、特に、アルキル基の炭素数が４以上の（メタ）アクリル酸アルキルエステルと該モノマーと共重合可能なモノマーとの共重合体が好ましく、架橋タイプのものがより好ましい。尚、粘着剤中には必要に応じ、テルペン系樹脂、石油系樹脂等の粘着付与剤、流動パラフィン、動植物油（例えばオリーブ油、大豆油、牛油、トン脂）、ポリブテン、低級イソプレン、ワックス等の粘着力、保持力調整剤、酸化チタン、酸化亜鉛、メタケイ酸アルミニウム、炭酸カルシウム、リン酸カルシウム等の充填剤、水および乳化剤（例えばソルビタンモノオレエート、ラウリルスルホン酸ナトリウム）、乳化助剤（例えばステアリン酸マグネシウム、ステアリン酸アルミニウム）などを配合することもできる。また揮発性薬剤を含浸保持できる粘着剤であれば、ここに例示した以外の粘着剤も用いることができる。
【００２６】
揮発性薬剤２３は、例えば香料、防黴剤、防腐剤、防虫剤、殺虫剤、殺菌剤、防錆剤、消臭剤、抗菌剤、消炎剤である。具体的には、ジャコウ、シベット（レイビョウ香）、カストル（カイリ香）、アンバーグリス（リュウゼン香）等の動物性香料、ラベンダー油、ハッカ油、レモン油、オレンジ油、ローズ油、ショウノウ油、ビャクダン油、ヒノキ油等の植物精油からなる植物性香料等の天然香料、テルペン化合物、芳香族化合物等からなる合成香料、あるいはそれらをブレンドした調合香料等の香料、イソチオシアン酸メチル、イソチオシアン酸エチル、イソチオシアン酸アリル、イソチオシアン酸イソブチル、イソチオシアン酸ｎ−ブチル、イソチオシアン酸フェニル、イソチオシアン酸ベンジル等のイソチオシアン酸エステル類、ジフェニル、３−メチル−４−イソプロピルフェノール、パラクロルメタクレゾール、α−ブロムシンナムアルデヒド等の防黴剤、ソルビン酸、ソルビン酸カリウム、デヒドロ酢酸等の防腐剤、ＤＤＶＰ剤、ピペロニルブトキシド等の防虫・殺虫剤、ホルマリン、サリチル酸、クレオソート、フェノール等の殺菌剤、ジシクロヘキシルアミン亜硝酸塩、シクロヘキシルアミン炭酸塩、イソプロピルアミン安息香酸塩、ジイソプロピルアミンコハク酸塩等の有機アミンの無機および有機酸塩、安息香酸、ナフトール酸等の芳香族酸、カプリル酸、ペラルゴン酸、カプリン酸等の炭素数６〜１０の脂肪酸、ベンゾトリアゾール、メチルベンゾトリアゾール等の複素環式アミン、ｍ−ジニトロベンゼン、ニトロナフタレン等のニトロ置換芳香族化合物、ヘキサメチレンテトラミンおよびその誘導体等の一種又は２種以上の混合物からなる防錆剤等である。揮発性の薬剤であれば特にその種類は限定されず、使用目的に応じ適宜選択使用できる。
【００２７】
バリア性フィルム２４は、粘着剤層２２に隣接するバリア層２５と樹脂で構成される基材２６とにより構成される。これらバリア層２５と基材２６とはバリア性構造物１１を構成するバリア層１３及び基材１２と同様である。粘着剤層２２の下側をバリア性フィルム２４で覆っているので、揮発性薬剤が下方から放散されることが防止できる。
【００２８】
非粘着性コート層２７はバリア性フィルム２４に隣接しシリンコーン系離型剤、パラフィン系コート剤等により剥離性を有して構成される。非粘着性コート層２７には、次の積層構造体２０−２の粘着性コート層２１が粘着しているが、剥離性を有するために、粘着性コート層２１から容易に剥離可能である。
【００２９】
以上の構成によれば、マルチ積層体２０の最上位の積層構造体２０−１上にあるバリア性トップフィルム１０を剥離すると、揮発性薬剤２３を含有する粘着性コート層２１が出現し、所望の徐放効果が発揮できる。最上層の積層構造体２０−１からの揮発性薬剤２３が所定程度揮発して減少したときは、最上層の積層構造体２０−１を剥がして新たな次の積層構造体２０−２を露出させ、新たな積層構造体２０−２の最上層である粘着性コート層２１から揮発性薬剤を揮発させることができる。すなわち積層構造体の単位数に応じて揮発性薬剤を持続的に揮散させることができ、長期に亘って徐放効果を発揮することが可能となる。
【００３０】
本発明の第２の実施の形態による揮発性薬剤徐放積層体１Ａについて図２に基づき説明する。第１の実施の形態と同様に揮発性薬剤徐放積層体１Ａは平面視長方形であり、バリア性トップフィルム５０と、積層構造体６０−１〜６０−５を複数個例えば５個積層させたマルチ積層体６０とを備える。
【００３１】
バリア性トップフィルム５０は、バリア性構造物５１と粘着層５４とを有する。バリア性構造物５１は第１の実施の形態と同様な基材５２とバリア層５３を有する。粘着層５４は、第１の実施の形態における粘着剤層２２と同様な材料により構成される。
【００３２】
マルチ積層体６０を構成する複数の積層構造体６０−１〜６０−５はそれぞれ、上層から順に非粘着性コート層６１、バリア性フィルム６４，粘着性コート層６７を有する。最上の積層構造体６０−１の非粘着性コート層６１は、バリア性トップフィルム５０の粘着層５４に対して剥離可能である。また各非粘着性コート層６１は、非粘着剤層６２と非粘着剤層６２内に混入された揮発性薬剤６３を有する。非粘着剤層６２、バリア性フィルム６４、粘着性コート層６７の材料はそれぞれ、第１の実施の形態の非粘着性コート層２７，バリア性フィルム２４，粘着剤層２２の材料と同じである。
【００３３】
以上の構成によれば、マルチ積層体６０の最上位の積層構造体６０−１上にあるバリア性トップフィルム５０を剥離すると、揮発性薬剤６３を含有する非粘着性コート層６１が出現し、所望の徐放効果が発揮できる。最上層の積層構造体６０−１からの揮発性薬剤６３が所定程度揮発して減少したときは、最上層の積層構造体６０−１を剥がして新たな次の積層構造体６０−２を露出させ、新たな積層構造体６０−２の最上層である非粘着性コート層６１から揮発性薬剤を揮発させることができる。すなわち積層構造体の単位数に応じて揮発性薬剤を持続的に揮散させることができ、長期に亘って徐放効果を発揮することが可能となる。また使用時において最上層は非粘着性コート層６１であるので、例えば揮発性薬剤が防虫剤である場合に、揮発性薬剤徐放積層体１Ａを箪笥内に配置したときに、衣類が最上層６１に付着することがない。
【００３４】
本発明による揮発性薬剤徐放積層体は、上述した実施の形態に限定されず、特許請求の範囲で規定された発明の要旨の範囲内で様々な変更が可能である。例えば、１単位の積層構造体を長尺帯状体とし、長尺帯状体をロール状に巻回したことにより、ロールの直径方向に沿って視たとき、積層構造体が複数単位の配列をなしてマルチ積層体として機能するようにしてもよい。係る構成によれば、ロールの最外周側での徐放効果が減少したときは、ロールの巻回を解くことにより、新たな徐放面が出現できる。またロールの半径方向内方部分は半径方向外方部分で保護されるので、内放部分での徐放作用を防止できる。また、ロールの巻回を解いて新たな徐放面を出現させる際に、ロールの幅方向に適切にミシン目などの切れ目を入れておき、その切れ目に沿って引き裂いて新たな徐放面を出現させるのが好ましい。
【００３５】
また、互いに面し合う一方の積層構造体の非粘着性コート層と他方の積層構造体の粘着性コート層の間であって粘着コート層の外縁付近の少なくとも一部に、紙等の非粘着性材料を配置してもよい。係る構成によれば最上位の積層構造体の剥離を容易に開始することができる。又は、粘着コート層の塗工面積を小さくしたり、塗工パターンで粘着コート層の外縁を取り囲むように非塗工部を設けることで、同様に最上位の積層構造体の剥離を容易に開始することができる。
【００３６】
また、上述した実施の形態において、それぞれの積層構造体の最上層側に位置する側の非粘着性コート層又は粘着性コート層に、揮発性薬剤の濃度の変化を色の変化であらわすための指示薬を混入してもよい。揮発性薬剤が揮発して濃度が低下したとき、色の変化によって容易に揮発性薬剤の濃度の低下が容易に認識でき、最上層の積層構造体を剥がして新たな積層構造体を露出させ、新たな積層構造体の最上層から揮発性薬剤を揮発させることができる。指示薬としては、ｐＨ指示薬、酸化還元指示薬、吸着指示薬、ＴＬＣ呈色指示薬等が挙げられ、それらを用途に応じて適宜用いることとする。
【００３７】
また、バリア性トップフィルム１０、５０のバリア性構造物１１、５１において、基材１２、５２単体で十分なガスバリア性が発揮できれば、バリア層１３，５３は設けなくてもよい。係る基材の材料としては、ポリ塩化ビニリデン、ポリビニルアルコール、エチレンビニルアルコール共重合体が好適である。
【００３８】
加えて、それぞれの積層構造体の最上層側に特開平７−２４０４８号に記載された徐放性コントロールフィルムを貼り付けてもよい。徐放性コントロールフィルムとしては、例えば、ポリエチレン、ポリプロピレン、塩化ビニル等の樹脂フィルムや、紙、布、合成紙などが用いられ、一般に膜厚５〜２００μｍ、好ましくは１０〜１００μｍ程度のものが用いられる。上述した揮発性薬剤徐放積層体の製造方法については、公知の積層フィルムの製造方法に準じればよく説明は省略する。
【００３９】
なお、第１の実施の形態において、バリア性フィルム２４を構成する基材２６が、剥離性を有する基材であれば、非粘着コート層２７を省略できる。その場合には、基材２６が新たな積層構造体２０−２の粘着層２２に剥離可能に直接接触する。
【図面の簡単な説明】
【００４０】
【図１】本発明の第１の実施の形態による揮発性薬剤徐放積層体を示す断面図。
【図２】本発明の第２の実施の形態による揮発性薬剤徐放積層体を示す断面図。
【符号の説明】
【００４１】
１，１Ａ  揮発性薬剤徐放積層体
１０、５０  バリア性トップフィルム
１１、５１  バリア性構造物
１２、５２  基材
１３、５３  バリア層
２０、６０  積層構造体
２１  ６７  粘着性コート層
２２  粘着剤層
２３，６３  揮発性薬剤
２４  、６４  バリア性フィルム
２７、６１  非粘着性コート層
【図１】
0004716891.tif 000002
【図２】
0004716891.tif 000003